(57)【特許請求の範囲】
【請求項１】
第１の電話番号が割り当てられた移動端末であって、
電子マネーを管理する電子財布手段と、
サービスまたは商品の予約を受け付ける移動端末である予約受付装置から、予約が可能なサービスまたは商品を識別する識別情報と、前記予約受付装置に割り当てられた第２の電話番号を含む制御メッセージを受信する受信手段と、
利用者が予約するサービスもしくは商品の識別情報と、前記第１の電話番号を含む予約情報を、前記第２の電話番号を宛先に指定することにより、前記予約受付装置に送信する予約情報送信手段と、
前記予約受付装置から前記識別情報に対応する金額の電子マネーの仮引き落としを要求する要求メッセージを受信すると、前記電子財布手段において、前記要求メッセージにより指定された額の電子マネーに仮引き落としの設定をする仮引き落とし決済手段と、
前記予約受付装置に前記第１の電話番号を通知するとともに、前記予約受付装置から前記第１の電話番号を含む予約情報に対応する電子マネー転送依頼を受信すると、仮引き落としの設定がされている電子マネーを、前記予約受付装置に送金する決済手段
を備えることを特徴とする移動端末。
【請求項２】
前記電子財布手段は、利用可能額記録手段および仮引き落とし記録手段を備え、
前記仮引き落とし決済手段は、前記要求メッセージを受信すると、前記利用可能額記録手段により記録されていた電子マネーの額から前記要求メッセージで指定された額の電子マネーを差し引いた額を、前記利用可能記録手段に記録し、さらに、前記要求メッセージに指定された額の電子マネーを前記仮引き落とし記録手段に記録する
ことを特徴とする請求項１に記載の移動端末。
【請求項３】
前記予約に対して予め決められている時刻を経過すると、前記仮引き落としの設定がされている電子マネーについて、前記仮引き落としの設定を解除する払い戻し手段
をさらに備えることを特徴とする請求項１または２に記載の移動端末。
【請求項４】
利用者の移動端末に、
電子マネーを管理し、
サービスまたは商品の予約を受け付ける移動端末である予約受付装置から、予約が可能なサービスまたは商品を識別する識別情報と、前記予約受付装置に割り当てられた第１の電話番号を含む制御メッセージを受信し、
前記利用者が予約するサービスもしくは商品の識別情報と、前記利用者の移動端末に割り当てられた第２の電話番号を含む予約情報を、前記第１の電話番号を宛先に指定することにより、前記予約受付装置に送信し、
前記予約受付装置から前記識別情報に対応する金額の電子マネーの仮引き落としを要求する要求メッセージを受信すると、前記要求メッセージにより指定された額の電子マネーに、仮引き落としの設定をし、
前記予約受付装置に前記第２の電話番号を通知し、
前記予約受付装置から前記第２の電話番号を含む予約情報に対応する電子マネー転送依頼を受信すると、仮引き落としの設定がされている電子マネーを前記予約受付装置に送金する
処理を行わせることを特徴とするプログラム。
【請求項５】
第１の電話番号が割り当てられた利用者の移動端末は、
前記利用者の電子マネーを管理し、
サービスまたは商品の予約を受け付ける移動端末である予約受付装置から、予約が可能なサービスまたは商品を識別する識別情報と、前記予約受付装置に割り当てられた第２の電話番号を含む制御メッセージを受信し、
前記利用者が予約するサービスもしくは商品の識別情報と、前記第１の電話番号を含む予約情報を前記第２の電話番号を宛先に指定することにより、前記予約受付装置に送信し、
前記予約受付装置は、前記予約情報を受信すると、予約されたサービスもしくは商品の対価の仮引き落とし依頼を、前記利用者の移動端末に送信し、
前記利用者の移動端末は、前記仮引き落とし依頼で指定された額の電子マネーに対して仮引き落としの設定をし、
前記利用者の移動端末は、前記予約受付装置に前記第１の電話番号を通知し、
前記予約受付装置から前記第１の電話番号を含む予約情報に対応する電子マネー転送依頼を受信すると、前記利用者の移動端末は、前記仮引き落としの設定がされた電子マネーを、前記予約受付装置に送金する
ことを特徴とする方法。
【発明の詳細な説明】
【技術分野】
【０００１】
本発明は、サービスもしくは商品を予約し、予約したサービスもしくは商品の代金の決済をする方法に関する。
【背景技術】
【０００２】
近年、携帯電話やコンピュータなどのインターネットに接続可能な機器が普及したことにより、これらの機器を使って電子的にチケット等を予約することが可能になっている。例えば、チケットの発行元センタにアクセスして予約処理を行い、発行元センタから受信した予約情報を光ＩＣカードに書き込むチケット予約システムなどが開示されている。また、マイレージ番号と関連付けられたクレジット番号が記録されたカードからクレジット番号を読み出して認証し、クレジット番号とマイレージ番号とを関連付けて予約情報を管理するチケット予約管理サーバも開示されている。
【０００３】
さらに、携帯端末からの予約システムを使って施設の運営をするシステムも考案されている。例えば、端末に並ばずにアトラクションを予約できることにより利用客が順番待ちのために時間の浪費をすることを軽減することができるアミューズメント施設運営システムが提案されている。
【特許文献１】特開平１０−１３４１２９号公報
【特許文献２】特開２００４−２６５０８４号公報
【特許文献３】特開２００６−２２８１０５号公報
【発明の開示】
【発明が解決しようとする課題】
【０００４】
しかしながら、上記のチケット予約システムなどでは、金銭の電子決済に際して、クレジット決済用のサーバを利用する。このため、チケット等の予約サービスを提供する際には、その提供者が、クレジット決済用サーバの利用料を支払う必要がある。そこで、チケット予約サービスなどの提供者からは、安い経費でチケットなどの予約と決済を行うことができるシステムが望まれている。なお、その他のサービスや商品の予約販売などのシステムを提供する提供者の間にも、同様のニーズがある。
【０００５】
さらに、クレジット決済用のサーバを利用するシステムにおいては、一般に、チケット等を予約した時点で料金がクレジット決済用サーバを通して決済されてしまう。そのため、例えば、コンサート主催者が予約決済後にコンサートを取り止めた場合など、予約決済後にサービスなどの提供や商品の販売が中止された場合であっても、予約をした利用者には、決済された料金が請求されることがあった。
【０００６】
そこで、本発明は、決済に際して第三者を介さずに、サービス等の予約および予約されたサービス等の決済を電子的にすることができるシステムを実現することを目的とする。
【課題を解決するための手段】
【０００７】
上記の課題は、電子マネーを管理する電子財布手段と、サービスもしくは商品の予約を行うための予約情報を、予約受付装置に送信する予約情報送信手段と、前記予約受付装置から前記予約情報に対応する仮引き落としメッセージを受信すると、前記電子財布手段において、前記仮引き落としメッセージにより指定された額の電子マネーを仮引き落としする仮引き落とし決済手段と、前記予約受付装置から電子マネー転送依頼を受信すると、仮引き落としの設定がされている電子マネーを、前記予約受付装置に送金する決済手段を備える移動端末を用いることによって、解決することができる。
【０００８】
移動端末から予約受付装置に対してサービス等の予約が行われると、予約受付装置は、予約されたサービス等の対価と同額の電子マネーに仮引き落としの設定をすることを要求するメッセージを、移動端末に送信する。移動端末において仮引き落としの設定が行われた後、予約受付装置から電子マネーの送金を要求するメッセージを受信すると、移動端末は、予約受付装置に、仮引き落としの設定が行われている電子マネーの送金を行う。
【発明の効果】
【０００９】
決済に際して第三者を介さずに、サービス等の予約および予約されたサービス等の対価の電子的な決済をすることができるシステムが実現できる。
【発明を実施するための最良の形態】
【００１０】
以下、本実施形態について、図面を参照しながら詳細に説明する。
＜概要＞
図１は、実施形態の予約決済方法の概要を説明する図である。予約受付装置４は、サービス等の情報の利用者への送信、予約の受付、決済を行う。利用者の移動端末１は、この予約決済方法において、予約受付装置４に対して予約を依頼する装置（予約依頼装置）として機能する。予約受付装置４と利用者の移動端末１は、無線基地局３を介して通信を行うことができ、ＩＣカードＲ／Ｗ５を介して通信をすることもできる。
【００１１】
まず、本実施形態の予約決済方法において、サービスもしくは商品の提供者は、予約受付装置４（提供者の端末）からサービス等の情報を含む制御用メッセージを、無線基地局３を介して、利用者の移動端末１に送信する。利用者の移動端末１では、予約受付装置４から受信した情報に基づき、予約画面を表示する。利用者がこの予約画面中の予約ボタンを押すと、利用者の移動端末１は、サービス等の予約を要求する制御メッセージを、無線基地局３を介して、予約受付装置４に送信する。
【００１２】
予約を要求するメッセージを受信した予約受付装置４は、利用者の移動端末１に対して、予約されたサービス等の対価と同額の電子マネーを対価の支払い用の電子マネーとして設定することを依頼するメッセージを送信する。利用者の移動端末１では、その端末で予約したサービス等の対価分の電子マネーを、支払いに用いる電子マネーとして設定する。これらの電子マネーの設定の記録は、ＩＣカード２中に記録される。
【００１３】
利用者が、その移動端末１を、ＩＣカードＲ／Ｗ５を介して予約受付装置４にアクセスさせると、予約受付装置４は、利用者の移動端末１に対して対価の支払いを要求する。この要求に応じて、利用者の移動端末１は、支払いに用いる電子マネーとして予め設定しておいた電子マネーを、予約受付装置４に転送する。
【００１４】
従って、上記の方法によると、決済の際に第三者を介さずに、予約されたサービス等の対価についての電子的な決済を行うことができる。
ここで、本明細書中で、利用者の移動端末１にチャージされている電子マネーを、予約したサービス等の対価の支払い用の電子マネーとして設定することを「仮引き落とし」という。
【００１５】
また、本明細書中で「電子マネー」とは、電子マネーのほか、電子的に取り扱いが可能なバリュー、ポイントなど、電子的に取り扱いが可能である金銭、証券などの金券、もしくは金銭や金券に順ずるものを含む概念である。
【００１６】
＜装置構成＞
図２は、実施形態の予約決済方法における利用者の移動端末の構成を説明する図である
。利用者の移動端末１は、制御部１０、ＩＣカード２、中央制御装置６、メモリ７、および、表示部８を備える。さらに、ＩＣカード２は、利用可能バリュー記録部２１と仮引き落としバリュー記録部２２を備える。
【００１７】
制御部１０は、予約決済方法の実施の制御を行い、パケット制御部１１、無線制御部１２、制御メッセージ送信受信部１３、メール送信受信部１４、予約決済部１５、ＩＣカード制御部１６を含む。制御部１０に含まれるこれらの部分の一部または全部をソフトウェアにより実現することができ、また、ハードウェア回路により実現する構成にすることもできる。
【００１８】
パケット制御部１１は、利用者の移動端末１が他の端末などとの間で行うパケットの送受信を制御する。無線制御部１２は、移動端末１で行われる無線通信を制御する。メール送信受信部１４は、移動端末１が他の端末などと行うメールの送受信を制御する。
【００１９】
制御メッセージ送信受信部１３は、移動端末１が実施形態の予約決済方法を実施するために必要な制御用のメッセージの送信および受信を行う。制御用メッセージの例としては、サービスや商品の情報を通知するメッセージ、サービス等の予約を要求するメッセージ、電子マネーの支払い用途の設定を要求するメッセージなどが挙げられる。また、これらのメッセージは、ショートメッセージサービス（ＳＭＳ、Short Message Service）を用いた形式とすることができるが、利用者の移動端末１と予約受付装置４の構成に応じて、電子メールなどその他の任意の形式にすることができる。
【００２０】
予約決済部１５は、実施形態の予約決済方法での利用者の移動端末１の動作を全般的に制御する。例えば、後で詳しく述べるように、サービス等の情報を通知する制御用メッセージを受信したときに、表示部８に予約画面を表示させる。また、ＩＣカード制御部１６に対して、ＩＣカード２に記録されている利用可能な電子マネーの額などの更新を要求する。
【００２１】
メモリ７は例えばＲＯＭ、ＲＡＭなどを含み、処理で用いられるプログラムとデータを格納する。中央制御装置６は、メモリ７を利用してプログラムを実行することにより、利用者の移動端末１の動作に対応する機能を提供する。なお、図２および後述する図３に示した構成例では、制御部１０と中央制御装置６が別個に表されているが、中央制御装置６がプログラムを読み込むことによって制御部１０を実現する構成にすることもできる。表示部８は、後述する予約画面などの予約決済方法で用いられる表示画面を表示する他、利用者の移動端末１の動作に基づく任意の用途に用いられる。
【００２２】
ＩＣカード２は、情報の記録に用いられる。特に、電子マネーの利用可能額や、支払い用に設定されている電子マネーの額などを記録するために用いられ、電子財布としての機能を備える。ＩＣカード２が備える利用可能バリュー記録部２１は、利用者の移動端末１にチャージされていて、任意のサービスや商品の購入に使用可能な電子マネーの額を記録している。なお、本明細書中で、任意のサービスや商品の購入に使用可能な電子マネーを「利用可能バリュー」ということがある。
【００２３】
仮引き落としバリュー記録部２２は、利用者の移動端末１からサービス等の予約を行った場合に、予約したサービス等の対価と同額の電子マネーを記録する。仮引き落としバリュー記録部２２に記録された電子マネーは、支払い用途が設定された電子マネー、すなわち仮引き落としされた電子マネーとして取り扱われる。仮引き落としされた電子マネーは、仮引き落としの設定が解除されるまで、予約したサービス等以外のサービス等の対価として使用することができない。つまり、支払い用途の設定がされると、予約したサービス等の対価として擬似的な引き落とし（仮引き落とし）がされた状態となる。また、後述するように、仮引き落としバリュー記録部２２には、仮引き落としの設定がされている電子マネーの金額以外の情報を格納する構成にすることができる。例えば、仮引き落としされた電子マネーを、サービス等の対価として支払う予定の日（転送予定日）、仮引き落とした電子マネーで対価を支払う対象となるサービス等の識別番号などが例として挙げられる。本明細書中では、仮引き落としの設定がされている電子マネーの金額を「仮引き落としバリュー」ということがある。ただし、「仮引き落としバリュー」の語は、仮引き落としの設定がされている電子マネーの金額と合わせて記録されている転送予定日、サービス等の識別番号などの情報も指すことがある。
【００２４】
図３は、実施形態の予約決済方法におけるサービス等の予約受付装置の構成を説明する図である。以下に詳しく述べる予約決済方法において、予約受付装置４は、サービス等の提供者の端末であり、さらに、利用者の移動端末１との決済を行うこともできる。
【００２５】
予約受付装置４は、利用者の移動端末１と類似した構成であるが、さらに、ＩＣカードＲ／Ｗ５を備えている。ＩＣカードＲ／Ｗ５は、利用者の移動端末１および予約受付装置４に備えられているＩＣカード２に記録された情報の読み込み、および、変更に用いられる。ＩＣカードＲ／Ｗ５により、利用者の移動端末１の仮引き落としバリュー記録部２２に記録されている電子マネーは予約受付装置４に転送される。また、提供者が用いる端末の制御部１０は、ＩＣカードＲ／Ｗ制御部１７を備えており、このＩＣカードＲ／Ｗ制御部１７は、ＩＣカードＲ／Ｗ５の制御に用いられる。なお、予約受付装置４のＩＣカード２は、仮引き落としバリュー記録部２２を備えない構成にすることができる。
【００２６】
予約決済方法を実施するためには、提供しようとするサービスについての詳細情報を、提供者が、利用者となりうる顧客に対して通知する必要がある。そこで、予約受付装置４のメモリ７に、提供者が提供しようとするサービス等の詳細情報や利用者となる可能性がある顧客のリストを格納する構成にすることができる。さらに、サービス等の予約を行った利用者を認識するためのテーブルも、予約受付装置４のメモリ７に格納される構成とすることもできる。
【００２７】
＜実施形態（１）＞
以下、コンサートの予約とコンサートのチケット代金の決済をする場合を例として、予約決済方法の実施形態を説明する。コンサートのチケット予約サービスの提供者をコンサートの主催者、もしくは主催者ということがある。また、チケット予約サービスの利用者をコンサートの参加者、もしくは、参加者と記載することがある。さらに、以下の説明では、利用者の移動端末１と予約受付装置４のいずれも携帯電話端末であるとする。
【００２８】
〔予約受付装置が保持する情報〕
コンサートチケットの予約サービスを提供する場合には、前述のとおり、予約受付装置４が提供するサービスの詳細情報を管理する必要がある。図４は、コンサート管理テーブルの一例を示す図である。コンサート管理テーブルには、コンサートの識別番号、コンサート料金、コンサート情報、残席数などのコンサートに関する詳細情報が記録されている。コンサートの識別番号は、個々のコンサートを識別できる任意の番号とすることができる。例えば、予約受付装置４が携帯電話端末である場合には、図４に示したように、予約受付装置４を認識しやすくするために、予約受付装置（提供者の携帯電話端末）の電話番号の末尾に、その提供者が提供しているコンサートの通し番号を付したものとすることができる。なお、本明細書中で「コンサート情報」は、少なくともコンサートの開催日時およびコンサート会場を含む情報である。ただし、コンサートの開催日時とコンサート会場を表す情報に他の任意の情報を付け加えた情報も、コンサート情報として記録、配信などをすることができる。
【００２９】
予約受付装置４は、利用者となりうる可能性がある顧客のデータベースも、メモリ７などに記憶している。この顧客のデータベースは、過去に、提供者のサービス等を利用したことがある個々の者を識別することができる任意の識別子を用いて構成される。例えば、利用者の移動端末１の電話番号やメールアドレスなどを用いて構成することができる。
【００３０】
さらに、提供者は、提供するコンサートチケットを予約した利用者を記録するテーブルを有する。図５は、利用者の電話番号を記録したテーブルの一例を示す図である。このテーブルには、予約を受け付けると利用者の電話番号をテーブルに記録するだけでなく、図５に示したとおり、各利用者の決済情報もあわせて記録する構成にすることができる。なお、予約者を記録するテーブルは、予約者の電話番号の代わりに、予約者のアドレスなどを用いて構成しても良い。決済の際に個々の予約者を識別することができる任意の情報を用いて、予約者を記録するテーブルを構成することができる。
【００３１】
〔仮引き落としバリューの記録方法〕
利用者の移動端末１には、前述のとおり、利用可能バリュー記録部２１および仮引き落としバリュー記録部２２が備えられ、利用者がサービス等の対価として使用することができる電子マネーの額が記録されている。
【００３２】
図６は、バリュー記録部での記録形態の一例を説明する図である。利用者の移動端末１のＩＣカード２の利用可能バリュー記録部格納アドレス２１ａには、利用者の移動端末１にチャージされている電子マネーのうち、任意のサービス等に使用することができる電子マネーの額が記録されている。
【００３３】
ＩＣカード２の仮引き落としバリュー記録部格納アドレス２２ａには、仮引き落としバリュー記録数３０と仮引き落としバリュー４０が記録される。仮引き落としバリュー記録数３０は、利用者の移動端末１において仮引き落としとして記録されている件数を表す。例えば、図５に記載されているようにＮ件の仮引き落としがされている場合には、仮引き落としバリュー記録数３０としてＮが記録される。仮引き落としバリュー４０には、仮引き落とし金額４１が記録されるが、仮引き落とし金額４１と合わせて、転送予定日４２、および、コンサート識別番号４３を記録する構成にすることができる。仮引き落とし金額４１以外の情報を合わせて仮引き落としバリュー４０として記録する場合には、仮引き落としごとに、各情報要素の格納の順番を一定にしておく。すると、転送予定日４２などが記録されている領域と仮引き落とし金額４１が記録されている領域の相対位置が一定であるため、制御部１０は、仮引き落とし金額４１に対応する転送予定日４２などを検索することができる。同様に、電子マネーの決済に際して、制御部１０が、コンサート識別番号４３に対応する仮引き落とし金額４１を検索する操作も簡略化される。
【００３４】
図７は、電子マネーの仮引き落としが行われたときのバリュー記録部による記録の例を示す図である。図７（ａ）は、利用者の移動端末１に、８０００円の電子マネーがチャージされていて、仮引き落としがなされていない場合を示す。このとき、利用可能バリューは８０００円である。次に、利用者が、図４のコンサート管理テーブルに示されたコンサートのうち、「０９０−１１１１−２２２１−００００１」で識別されるコンサートのチケットを予約したとする。このコンサートの料金は３０００円であるので、図７（ｂ）に示すように、３０００円の電子マネーがコンサート料金として仮引き落としバリュー記録部２２に記録されることにより、仮引き落としされる。利用者の移動端末１にチャージされていた８０００円のうちの３０００円は、コンサートのチケット代金に支払い用途が設定されているので、任意のサービス等に利用することができる電子マネーは、５０００円である。そこで、利用者の移動端末１の利用可能バリュー記録部２１には、５０００円が記録される。
【００３５】
一方、予約受付装置４には、コンサートの予約を行った利用者（参加者）からの予約情報は通知されていても、入金はされていない。従って、主催者の利用可能バリュー記録部２１に記録される金額は、参加者の予約によって変動しない。
【００３６】
〔予約決済方法〕
図８Ａおよび図８Ｂは、実施形態の予約決済方法を使用してコンサートのチケットの予約とチケット代金の決済をする場合を説明するフローチャートである。０９０−１１１１−２２２２の電話番号で識別される携帯電話端末からコンサートチケットが予約され、決済が行われる場合について説明する。なお、以下の各ステップにおいて、利用者の移動端末１や予約受付装置４として機能する携帯電話端末が行う動作は、携帯電話端末の制御部１０が行う動作である。また、かかる動作は、制御部１０のうち、予約決済部１５が行うか、予約決済部１５がＩＣカード制御部１６等の他の部分に要求して実行される。
【００３７】
｛コンサートの予約｝
図８Ａは、コンサートのチケットの予約とチケット代金の仮引き落としを説明するフローチャートである。まず、主催者は、コンサートを企画すると、そのコンサートの識別番号を決定し、コンサート識別番号とコンサートの開催に必要な情報を予約受付装置４（主催者の携帯電話端末）に登録する（ステップＳ１）。ここで登録される情報は、図４で示したコンサート管理テーブルに記録される内容である。予約受付装置４には、前述のとおり、過去のコンサート参加者など利用者となりうる可能性がある顧客のメールアドレスなどがデータベースとして保持されている。そこで、予約受付装置４は、過去の参加者アドレス一覧とコンサート管理テーブルを使用し、過去の参加者全員の携帯電話端末に、コンサート識別番号、コンサート料金、コンサート情報を含む制御メッセージを配信する（ステップＳ２）。
【００３８】
なお、ここでは、制御メッセージがＳＭＳメールとして送信される場合を例として説明するが、制御メッセージは、電子メールなど任意の他の形式で送信することも可能である。図９は、実施形態の予約決済システムで用いられる制御用メッセージの情報要素の例を示す図である。制御用のＳＭＳメールは、宛先電話番号、発振元電話番号のほか、制御コマンドと付加情報を含む。
【００３９】
制御コマンドは、通知される制御メッセージの種類を記述する情報要素であり、図９に示した実施形態では、「コンサート開催通知」、「予約依頼」、「仮引き落とし依頼」、「仮引き落とし完了」を識別する。制御用ＳＭＳメールを受信した携帯電話端末は、制御コマンドを読み込むことにより、受信した制御メールに応答するために動作する。
【００４０】
制御用ＳＭＳメールの付加情報としては、コンサート識別番号、コンサート料金、コンサート情報、料金転送予定日などの情報要素が含まれる。なお、図９には、付加情報１から付加情報３までの３種類の情報を図示しているが、これは一例であって、各制御メッセージに含まれる付加情報の数は任意である。また、付加情報の記述の順番は任意であり、コンサート識別番号を付加情報１とする必要はない。ステップＳ２で通知されるメッセージは、図９（ａ）に示すとおり、制御コマンドとしてコンサート開催通知を指定し、付加情報として、コンサート識別番号、コンサート料金、コンサート情報を含むメッセージである。
【００４１】
ＳＭＳメールを受信した参加者の携帯電話端末では、ＳＭＳメールのパケットのうち、図９に示した制御コマンドが格納されている領域を読み込み、ＳＭＳメールが制御メールに該当するか否か、および、制御メールの種類を判断する。受信したメールの制御コマンドがコンサート開催通知である場合には、参加者の携帯電話端末は、メモリ７に格納された所定のプログラムを読み込むことにより、予約画面を表示する。図１０は、表示される
予約画面の一例を示す図である。表示されたコンサート予約画面５０には、コンサート識別番号、コンサート料金、コンサート情報５１のほかに、予約ボタン５２が含まれる。
【００４２】
参加者は、コンサート予約画面５０を見て、参加したいコンサートである場合には、予約ボタン５２を押す（ステップＳ３）。予約ボタン５２が押されると、メモリ７に格納されたプログラムにより、参加者の携帯電話端末から予約受付装置４に向けて、コンサート予約のための制御メールが送信される（ステップＳ４）。コンサート予約依頼の制御ＳＭＳメールは、図９（ｂ）に示すとおり、制御コマンドが予約依頼で、付加情報としてコンサート識別情報が格納された制御メールである。なお、予約依頼制御メールなどの予約を依頼するための制御メッセージを「予約情報」ということがある。
【００４３】
参加者からの予約依頼制御メールを受信すると、予約受付装置４は、コンサート管理テーブルを使用して、予約依頼を受けたコンサートの残席があるかを確認する（ステップＳ５）。残席がない場合には、予約受付装置４は、参加者の携帯電話端末に残席がない旨を表わすエラーメッセージを送信して処理を終了する（ステップＳ１４）。残席がある場合には、コンサート管理テーブルに記録された残席数を１だけ減らして、図５に示したような参加予約者の電話番号一覧に、予約依頼用制御メールの送信元の電話番号を登録する（ステップＳ６、７）。
【００４４】
｛コンサート料金の仮引き落とし｝
予約受付装置４は、参加者の電話番号一覧に新たな電話番号が付加されると、新たに付け加えられた電話番号で識別される携帯電話端末に、コンサート料金の仮引き落としを依頼する制御メールを送信する（ステップＳ８）。仮引き落とし依頼の制御メールでは、図９（ｃ）に示したように、コンサート識別番号やコンサート料金のほかに、料金の転送予定日が通知される。料金の転送予定日とは、仮引き落としされた電子マネーが、予約受付装置４に転送される予定の日である。料金転送予定日は、コンサートの開催日とすることができる。本明細書中では、仮引き落としを依頼するための制御用メッセージを、仮引き落としメッセージということがある。
【００４５】
仮引き落とし依頼の制御メールを受信すると、参加者の携帯電話端末は、仮引き落としが可能かを確認する（ステップＳ９）。利用可能バリュー記録部２１に記録されている電子マネーの額が仮引き落としを要求された額よりも低い場合は、仮引き落としができないため、参加者の携帯電話端末は、エラーメッセージを表示して処理を終了する（ステップＳ１３）。
【００４６】
仮引き落とし依頼の制御メールで指定された分の電子マネーの仮引き落としが可能な場合は、指定されたコンサート料金分の仮引き落としを行う（ステップＳ９、１０）。仮引き落としは、前述のとおり、仮引き落とし依頼の制御ＳＭＳメールで指定された額の電子マネーを、コンサート料金の支払い用の電子マネーとして支払いの用途を設定することによって行われる。具体的には、予約決済部１５は、仮引き落としバリュー記録部２２にコンサート料金を記録すること、および、利用可能バリュー記録部２１の記録をコンサート料金の分を差し引いた額に更新することを、ＩＣカード制御部１６に依頼する。電子マネーの仮引き落としが終了すると、参加者の携帯電話端末は、図９（ｄ）に示した電子マネー仮引き落とし完了を表す制御ＳＭＳメールを、予約受付装置４に送信する（ステップＳ１１）。
【００４７】
電子マネー仮引き落とし完了を表す制御ＳＭＳメールを受信した予約受付装置４は、その制御ＳＭＳメールの送信元の電話番号で識別される参加者について、仮引き落とし（仮決済）が完了している旨の登録を行う（ステップＳ１２）。この登録は、図５に示した参加者の電話番号一覧に、参加者の状態を表示する欄を設けている場合には、その欄の内容
を「予約中」から「仮決済ずみ」に変更することによって行うことができる。例えば、図５において０９０−１１１１−２２２２の電話番号で識別される参加者は、仮引き落としが終わっている参加者として登録されている。一方、０９０−１１１１−２２２３の電話番号で識別される参加者は、コンサートの予約はしているが仮引き落としを行っていない参加者として登録されている。
【００４８】
｛コンサート料金の決済｝
次に、図８Ｂを参照しながら、コンサート料金の決済について説明する。コンサート料金の仮引き落としが終了すると、参加者はコンサート会場において、参加者の携帯電話端末を、予約受付装置４に接続されているＩＣカードＲ／Ｗに接触させる（ステップＳ２１）。ＩＣカードＲ／Ｗを通して、予約受付装置４が携帯電話端末からのアクセスを認識すると、予約受付装置４は、自装置にアクセスしてきた携帯電話端末に対して電話番号の通知を求める（ステップＳ２２）。電話番号の通知を求められると、参加者の携帯電話端末は、予約受付装置４に電話番号を通知する（ステップＳ２３）。なお、ステップＳ２１、２２において、参加者の携帯電話端末がＩＣカードＲ／Ｗに近づくと、予約受付装置４が参加者の携帯電話端末に対して電話番号の通知を求める構成にすることもできる。
【００４９】
予約受付装置４は、通知を受けた電話番号を参加予約者の電話番号一覧から検索し、通知された電話番号で識別される参加者が仮引き落としを完了しているかを確認する（ステップＳ２４）。通知された電話番号が、仮引き落としを完了している参加者の電話番号ではない場合は、処理を終了する。ここで、参加者の携帯電話端末にエラーメッセージを送信して処理を終了する構成にすることもできる。
【００５０】
一方、通知された電話番号が仮引き落としを完了した参加者の電話番号である場合、予約受付装置４は、参加者の携帯電話端末に電子マネーの転送依頼を行う（ステップＳ２５）。電子マネーの転送依頼では、主催者側の携帯電話端末から参加者側の携帯電話端末に、コンサート識別子が通知される。電子マネー転送依頼を受信すると、参加者の携帯電話端末は、通知されたコンサート識別子に対応付けて仮引き落とししてあったコンサート料金を、ＩＣカードＲ／Ｗを通して予約受付装置４に転送する（ステップＳ２６）。図１１（ａ）は、電子マネーの転送処理が行われたときのバリュー記録部による記録の例を示す図である。コンサート料金が転送されると、予約受付装置４には、コンサート料金分の電子マネーがチャージされる（ステップＳ２７）。例えば、予約受付装置４に記録された利用可能バリュー記録部２１における記録が、図７（ｂ）で示すように０円であった場合、３０００円のコンサート料金の転送を受けると、図１１（ａ）に示すように、利用可能バリューが３０００円になる。一方、コンサート料金の転送を行うと、参加者の携帯電話端末では仮引き落としバリュー記録部２２の記録が更新される（ステップＳ２８）。図７（ｂ）に示すように、３０００円の仮引き落としバリューが記録されていた場合に、仮引き落としされていたコンサート料金を転送すると、図１１（ａ）に示すように、仮引き落としバリュー記録部２２の記録が０円に更新される。
【００５１】
上記のステップＳ２１〜２８の処理は、参加者がその携帯電話端末を予約受付装置４に接触させたときに行われ、参加者の携帯電話端末が予約受付装置４に接続されているＩＣカードＲ／Ｗに接触している間に行われる。
【００５２】
なお、これまでの説明において、参加者の携帯電話端末をＩＣカードＲ／Ｗに接触させて決済をする方法について具体的に述べたが、これは一例に過ぎない。参加者の携帯電話端末と予約受付装置４との間で、第三者を介さずに直接的な電子マネーの送受信が可能な状況を形成できる任意の方法を、仮引き落としされた電子マネーの決済のために用いることができる。従って、参加者の携帯電話端末と予約受付装置４を接触させる必要はなく、両者の間でリンクを確立する、もしくは、認証を行うなどの方法により、第三者を介さず
に、データを送受信することによって決済をすることが可能である。また、参加者の携帯電話端末を予約受付装置４に近づけると、電子マネーの決済が行われる構成にすることもできる。
【００５３】
このように、制御用ＳＭＳメールを使用して予約、仮引き落としを行い、コンサート会場の受付などで仮引き落としされているコンサート料金の転送を行うことにより、第三者を介さずに、決済を行うことができる。その結果として、サービス等の提供者は、クレジット決済用サーバの使用料を支払う必要がなく、安価にサービス等の予約システムを提供することが可能になる。また、電子マネーの転送依頼を、ＳＭＳメールなどのメッセージで行わず、ＩＣカードＲ／Ｗなどの任意のハードウェアを介して行う構成にすれば、数値の改ざんなどを行いにくくし、セキュリティを高めることが可能である。
【００５４】
さらに、仮引き落とし方法を使用した決済方法を用いると、無線通信の品質劣化などによる電子マネーの誤転送を防ぐことができるという効果がある。また、参加者の携帯電話端末は、仮引き落としの際には、セキュリティ機能を使用した通信を行わないので、暗号化などの操作を行う必要がなく、携帯電話端末の電池消費量の削減につながる。さらに、参加者と主催者の間の制御メッセージの送受信を、ＳＭＳメールを使用して行う構成にすれば、パケット通信に比べて、さらに、参加者の携帯電話端末および予約受付装置４の電力消費を抑えることができる。
【００５５】
＜実施形態（２）＞
次に、実施形態（１）で述べたようにコンサートの予約が行われた後に、コンサートの開催が取りやめられた場合の処理について説明する。図１２は、実施形態の予約決済方法において、チケットの予約後にコンサートが中止された場合の処理方法を説明するフローチャートである。
【００５６】
コンサートの予約とコンサート料金の仮引き落としは、図８ＡのステップＳ１〜１２を参照しながら説明したように行われ、参加者の携帯電話端末から予約受付装置４へ仮引き落とし完了通知が送信されたとする（ステップＳ３１、３２）。その後、予約していたコンサートが中止されると、参加者の携帯電話端末に仮引き落としされているコンサート料金は転送されないで仮引き落としバリュー記録部２２に記録されたままである。そこで、参加者の携帯電話端末では、転送予定日以降も記録が残存している仮引き落としバリューの処理を行う。
【００５７】
まず、参加者の携帯電話端末は、仮引き落としバリュー記録部２２に記録があるかを確認する（ステップＳ３３）。仮引き落としバリュー記録部２２の記録は、図６に示したように行われるので、記録の有無の確認は、仮引き落としバリュー記録部格納アドレス２２ａに含まれる仮引き落としバリュー記録数３０を確認することにより行われる。仮引き落としバリュー記録部２２に記録があると、個々の仮引き落としバリュー４０について、転送予定日４２を確認する。図６に例示した場合は、仮引き落としバリュー４０として、仮引き落とし金額４１、転送予定日４２などが所定の順序で格納されているので、仮引き落としバリュー４０の所定の領域を読み込むことで、転送予定日を確認する（ステップＳ３４）。
【００５８】
転送予定日４２を過ぎている仮引き落としバリュー４０については、仮引き落としした電子マネーによって料金の支払いをする対象であったコンサートに参加者が参加しなかったことを示す。従って、そのコンサート料金の支払いのために電子マネーを使用する必要がないため、仮引き落としバリュー記録部２２に記録されている電子マネーを、利用可能バリュー記録部２１に転送する（ステップＳ３５）。
【００５９】
以上の処理は、仮引き落としバリュー記録部２２の記録に、転送予定日を過ぎている仮引き落としバリュー４０がなくなるまで繰り返される（ステップＳ３３〜３５）。転送予定日を経過していない仮引き落としのみが記録されている場合は、ステップＳ３３の処理に戻るが、ここで、任意の時間を経過してからステップＳ３３〜３５の処理を行うように構成を変更することもできる。一方、仮引き落としバリュー記録部２２に記録がない場合には、制御部１０は処理を終了する。
【００６０】
図１１（ｂ）に、仮引き落としされた仮引き落としバリュー４０を利用可能バリュー記録部２１に転送する処理を行ったときの例を示す。参加者の携帯電話端末でコンサート料金の仮引き落としをしたときに、図７（ｂ）に記載したように、コンサート料金である３０００円の電子マネーが仮引き落としバリュー記録部２２に記録され、利用可能バリュー記録部２１が５０００円になったとする。仮引き落としされた３０００円の電子マネーが仮引き落としバリュー記録部２２に記録されたまま転送予定日を経過すると、参加者の携帯電話端末では、前述のとおり、仮引き落としされた電子マネーが利用可能バリュー記録部２１に転送される。その結果、利用可能バリュー記録部２１の記録は５０００円から８０００円に更新され、利用可能バリュー記録部２１の記録も３０００円から０円に更新される。また、このときの処理では、主催者への送金が行われていないので、予約受付装置４の仮引き落としバリュー記録部の記録は変更されない。
【００６１】
このような方法によって決裁が行われなかった場合の処理をすることにより、第三者を介して決済を行ったときのように、コンサートが中止されたにもかかわらず、そのコンサートへの参加申し込みをした者へのコンサート料金の請求が発生するおそれがない。
【００６２】
＜その他＞
なお、本発明は上記の実施形態に限られるものではなく、様々に変形可能である。以下にその例をいくつか述べる。
【００６３】
上記の実施形態（１）では、１つのコンサートを１台の携帯電話端末から予約するだけでなく、１台の携帯電話端末から複数のコンサートの予約および決済をすることも可能である。このとき、参加者の携帯電話端末は、ステップＳ２６の操作に際して、予約受付装置４から通知されたコンサート識別子を確認する。仮引き落としバリュー記録部２２中のコンサート識別子が一致した記録に対応する仮引き落としについて送金を行うことにより、参加者の携帯電話端末から複数のコンサートについての決済を行うことができる。
【００６４】
上記の実施形態（２）では、仮引き落としバリュー記録部２２に記録された電子マネーを利用可能バリュー記録部２１の記録に入れるために、電子マネーの転送を行うときを日にち単位で管理していたが、日時による管理を行う構成にすることができる。この場合、コンサートの開催時刻などに合わせて電子マネーの送金が求められる日時を転送予定時として記録し、図１２のステップＳ３４において転送予定時を過ぎたかを確認する。また、日時を考慮して電子マネーの処理を行う場合は、適宜、コンサート識別番号などの転送予定時以外の情報を確認してからステップＳ３５の処理を行う構成にすることもできる。
【００６５】
これまでの説明において、例として、コンサートの予約を行う場合について詳しく説明したが、本実施形態は、コンサートの予約以外にも、ホテルの予約、商品の予約販売などのシステムとして用いることができる。
【００６６】
また、これまでの説明では、サービス等の予約受付装置４と利用者の端末のいずれも携帯電話端末である場合の例を説明したが、利用者が予約に用いる端末は、サービス等の予約受付装置４とデータの送受信を行うことができる移動端末であれば良い。例えばＰＤＡ（Personal Digital Assistant）を用いるシステムにすることもできる。予約受付装置４
は、移動端末である必要はなく、移動端末と通信が可能な任意のシステムとすることができる。
【００６７】
上述の各実施形態に対し、さらに以下の付記を開示する。
（付記１）  電子マネーを管理する電子財布手段と、
サービスもしくは商品の予約を行うための予約情報を、予約受付装置に送信する予約情報送信手段と、
前記予約受付装置から前記予約情報に対応する仮引き落としメッセージを受信すると、前記電子財布手段において、前記仮引き落としメッセージにより指定された額の電子マネーを仮引き落としする仮引き落とし決済手段と、
前記予約受付装置から電子マネー転送依頼を受信すると、仮引き落としの設定がされている電子マネーを、前記予約受付装置に送金する決済手段
を備えることを特徴とする移動端末。
（付記２）  前記決済手段は、前記予約受付装置に備えられたＩＣカードＲ／Ｗを介して、前記仮引き落としの設定がされている電子マネーを、前記予約受付装置に送金する
ことを特徴とする付記１に記載の移動端末。
（付記３）  前記決済手段は、前記予約受付装置との間にリンクを確立することにより、前記仮引き落としの設定がされている電子マネーを、前記予約受付装置に送金する
ことを特徴とする付記１に記載の移動端末。
（付記４）  前記電子財布手段は、利用可能額記録手段および仮引き落とし記録手段を備え、
前記仮引き落とし決済手段は、前記仮引き落としメッセージを受信すると、前記利用可能額記録手段により記録されていた電子マネーの額から前記仮引き落としメッセージで指定された額の電子マネーを差し引いた額を、前記利用可能記録手段に記録し、さらに、前記仮引き落としメッセージに指定された額の電子マネーを前記仮引き落とし記録手段に記録する
ことを特徴とする付記１に記載の移動端末。
（付記５）  複数の前記仮引き落としの設定が行われている場合、前記決済手段は、前記電子マネー転送依頼に含まれている識別子を確認し、前記識別子が表すサービスもしくは商品について仮引き落としの設定がされている電子マネーを、前記予約受付装置に送金する
ことを特徴とする付記１に記載の移動端末。
（付記６）  前記予約に対して予め決められている時刻を経過すると、前記仮引き落としの設定がされている電子マネーについて、前記仮引き落としの設定を解除する払い戻し手段
をさらに備えることを特徴とする付記１に記載の移動端末。
（付記７）  前記電子財布手段は、利用可能額記録手段および仮引き落とし記録手段を備え、
前記払い戻し手段は、前記予約に対して予め決められている時刻を経過すると、前記仮引き落とし手段に記録されている電子マネーを、前記利用可能額記録手段の記録へ変更することにより前記仮引き落としの設定を解除する
ことを特徴とする付記６に記載の移動端末。
（付記８）  サービスもしくは商品の情報を通知する通知手段と、
予約情報を受信すると、予約された前記サービスもしくは商品の対価に相当する額の電子マネーについて前記対価の支払いに使用するための仮引き落としの設定を依頼するメッセージを送信する仮引き落とし依頼手段と、
前記仮引き落としの設定を行った移動端末に、前記仮引き落としの設定が行われている電子マネーの転送を依頼するメッセージを送信する電子マネー支払い要求手段
を備えることを特徴とする予約受付装置。
（付記９）  前記仮引き落としの設定が行われたことを表す仮引き落とし完了通知を受信すると、前記仮引き落とし完了通知を送信した移動端末を利用する利用者を仮引き落とし済み利用者として登録する登録手段をさらに備え、
前記電子マネー支払い要求手段は、前記予約受付装置に備えられたＩＣカードＲ／Ｗを介して、前記仮引き落とし済み利用者の移動端末に電子マネー転送依頼を送信する
ことを特徴とする付記８に記載の予約受付装置。
（付記１０）  サービスもしくは商品の通知情報を受信した利用者の移動端末が備える情報処理装置を、
電子マネーを管理する電子財布手段、
前記サービスもしくは商品の予約を行うための予約情報を予約受付装置に送信する予約情報送信手段、
前記予約受付装置から前記予約情報に対応する仮引き落としメッセージを受信すると、前記電子財布手段において、前記仮引き落としメッセージにより指定された額の電子マネーを、仮引き落としする仮引き落とし決済手段、
前記予約受付装置から電子マネー転送依頼を受信すると、仮引き落としの設定がされている電子マネーを前記予約受付装置に送金する決済手段
として機能させるためのプログラム。
（付記１１）  前記利用者の移動端末が備える前記情報処理装置を、さらに、
前記予約受付装置から前記通知情報を受信すると、前記サービスもしくは商品の予約に用いる予約画面を表示する予約画面表示手段
として機能させることを特徴とする付記１０に記載のプログラム。
（付記１２）  前記利用者の移動端末が備える前記情報処理装置を、さらに、
前記予約に対して予め決められている時刻を経過すると、前記仮引き落としの設定がされている電子マネーについて、前記仮引き落としの設定を解除する払い戻し手段
として機能させることを特徴とする付記１０に記載のプログラム。
（付記１３）  利用者からのサービスもしくは商品の予約を受け付ける情報処理装置を、
前記利用者の移動端末に前記サービスもしくは商品の情報を通知する通知手段、
前記利用者の端末から予約情報を受信すると、予約されたサービスもしくは商品の対価に相当する額の電子マネーについて仮引き落としの設定をすることを依頼する仮引き落としメッセージを送信する仮引き落とし依頼手段、
前記仮引き落としの設定が行われた前記利用者の移動端末に対して、前記仮引き落としの設定が行われている電子マネーの転送を依頼するメッセージを送信する電子マネー支払い要求手段
として機能させるためのプログラム。
（付記１４）  利用者の移動端末から予約情報を受信すると、予約受付装置は、予約されたサービスもしくは商品の対価の仮引き落とし依頼を、前記利用者の移動端末に送信し、
前記利用者の移動端末は、前記仮引き落とし依頼で指定された額の電子マネーに対して仮引き落としの設定をし、
前記利用者の移動端末が前記予約受付装置から電子マネー転送依頼を受信すると、前記利用者の移動端末は、前記仮引き落としの設定がされた電子マネーを、前記予約受付装置に送金する
ことを特徴とする方法。
（付記１５）  前記利用者の移動端末は、予め決められたときを経過すると、前記仮引き落としの設定がされている電子マネーについて、前記仮引き落としの設定を解除する
ことを特徴とする付記１４に記載の方法。
（付記１６）  前記仮引き落としの設定がされたことを表す通知を、前記利用者の移動端末から受信すると、前記予約受付装置は、前記利用者を仮決済ずみ利用者として登録し、
前記予約受付装置は、前記仮決済ずみ利用者の移動端末がＩＣカードＲ／Ｗを介してアクセスすると、前記仮引き落とし依頼で指定された額の電子マネーの支払いを要求する通知を、前記仮決済ずみ利用者の移動端末に送信する
ことを特徴とする付記１４に記載の方法。
【図面の簡単な説明】
【００６８】
【図１】実施形態の予約決済方法の概要を説明する図である。
【図２】実施形態の予約決済方法における利用者の移動端末の構成を説明する図である。
【図３】実施形態の予約決済方法におけるサービス等の予約受付装置の構成を説明する図である。
【図４】コンサート管理テーブルの一例を示す図である。
【図５】予約者の電話番号を記録したテーブルの一例を示す図である。
【図６】バリュー記録部での記録の一例を説明する図である。
【図７】電子マネーの仮引き落としが行われたときのバリュー記録部による記録の例を示す図である。
【図８Ａ】実施形態の予約決済方法を使用してコンサートのチケットの予約とチケット代金の決済をする場合を説明するフローチャートである。
【図８Ｂ】実施形態の予約決済方法を使用してコンサートのチケットの予約とチケット代金の決済をする場合を説明するフローチャートである。
【図９】実施形態の予約決済方法で用いられる制御用メッセージの情報要素の例を示す図である。
【図１０】表示される予約画面の一例を示す図である。
【図１１】電子マネーの仮引き落とし後の処理が行われたときのバリュー記録部による記録の例を示す図である。
【図１２】実施形態の予約決済方法において、チケットの予約後にコンサートが中止された場合の処理方法を説明するフローチャートである。
【符号の説明】
【００６９】
１  利用者の移動端末
２  ＩＣカード
３  無線基地局
４  予約受付装置
５  ＩＣカードＲ／Ｗ
６  中央制御装置
７  メモリ
８  表示部
１０  制御部
１１  パケット制御部
１２  無線制御部
１３  制御メッセージ送信受信部
１４  メール送信受信部
１５  予約決済部
１６  ＩＣカード制御部
１７  ＩＣカードＲ／Ｗ制御部
２１  利用可能バリュー記録部
２２  仮引き落としバリュー記録部
３０  仮引き落としバリュー記録数
４０  仮引き落としバリュー
４１  仮引き落とし金額
４２  転送予定日
４３  コンサート識別番号
５０  コンサート予約画面
５１  コンサート情報
５２  予約ボタン
【図１】
0005245556.tif 000002
【図２】
0005245556.tif 000003
【図３】
0005245556.tif 000004
【図４】
0005245556.tif 000005
【図５】
0005245556.tif 000006
【図６】
0005245556.tif 000007
【図７】
0005245556.tif 000008
【図８Ａ】
0005245556.tif 000009
【図８Ｂ】
0005245556.tif 000010
【図９】
0005245556.tif 000011
【図１０】
0005245556.tif 000012
【図１１】
0005245556.tif 000013
【図１２】
0005245556.tif 000014